(57)【要約】【課題】仰向け時の背漏れを防止する。【解決手段】止着部材１６，１６の背側縁１６ｅ，１６ｅ間を結ぶ線１６Ｌを越えて延出する背側延出部５０を有し、この背側延出部５０がＺ折り可能とされているとともに、Ｚ折りしたときに対面する面の少なくとも一方面に、対面部位同士を着脱自在に接着する接着部６０が設けられている止着式紙おむつＺ１により解決される。【選択図】図１
2008079738.tif 000002
【特許請求の範囲】
【請求項１】
背側両側端部に止着部材を備え、この止着部材を腹側表面の係止部に止着することにより身体に装着する止着式紙おむつにおいて、
前記止着部材の背側縁間を結ぶ線を越えて延出する背側延出部を有し、この背側延出部がＺ折り可能とされているとともに、Ｚ折りしたときに対面する面の少なくとも一方面に、対面部位同士を着脱自在に接着する接着部が設けられている、ことを特徴とする止着式紙おむつ。
【請求項２】
前記接着部が、ホットメルト接着剤塗布部、メカニカルファスナー、粘着剤塗布部、剥離性接着剤塗布部の何れかによるものである、請求項１記載の止着式紙おむつ。
【請求項３】
前記背側延出部に、エンボスによって形成された二つの折り線が幅方向に沿って並設されている、請求項１又は２記載の止着式紙おむつ
【請求項４】
背側延出部に吸収体が存在している、請求項１〜３の何れか１項に記載の止着式紙おむつ。
【請求項５】
前記延出部が、両側止着部材の背側端縁を結ぶ線よりも２〜２０ｃｍ延出している、請求項１〜４の何れか１項に記載の止着式紙おむつ。
【発明の詳細な説明】
【技術分野】
【０００１】
本発明は、紙おむつに関し、特に、止着タイプの紙おむつに関する。
【背景技術】
【０００２】
透液性表面シートと不透液性裏面シートとの間に吸収体が介在され、かつ、背側両側端部に突出して設けられた止着部材を備え、この止着部材を腹側表面の係止部に止着することにより身体に装着する止着式紙おむつはよく知られている（特許文献１など）。
これらの止着式紙おむつでは、装着状態における背側や腹側からの漏れを防止すべく、胴回りに伸縮部材を配してフィット性を高めるなどの工夫がなされている（特許文献２等）。
【特許文献１】特開２００５−８１６５１
【特許文献２】特開２０００−２９６１４８
【発明の開示】
【発明が解決しようとする課題】
【０００３】
しかしながら、これら従来の止着式紙おむつは、特に仰臥位の状態での排尿がなされたときの背側開口縁からの漏れ防止対策が十分ではなく、仰向けの状態で自由の利かない者などにおいて多々背側開口縁から漏れが生ずることがあり改善が求められていた。
そこで、本発明の主たる課題は、仰臥位の際における背側開口縁からの漏れ防止性を高めた止着式紙おむつを提供することにある。
【課題を解決するための手段】
【０００４】
上記課題を解決した本発明及びその作用効果は次記のとおりである。
＜請求項１記載の発明＞
背側両側端部に止着部材を備え、この止着部材を腹側表面の係止部に止着することにより身体に装着する止着式紙おむつにおいて、
前記止着部材の背側縁間を結ぶ線を越えて延出する背側延出部を有し、この背側延出部がＺ折り可能とされているとともに、Ｚ折りしたときに対面する面の少なくとも一方面に、対面部位同士を着脱自在に接着する接着部が設けられている、ことを特徴とする止着式紙おむつ。
【０００５】
（作用効果）
背側延出部がＺ折り可能とされているとともに、Ｚ折りしたときに対面する面の少なくとも一方面に、対面部位同士を着脱自在に接着する接着部が設けたので、背側開口縁に厚みのある防漏壁を形成することができ、もって仰臥位の状態での背側開口縁からの漏れが防止される。
【０００６】
＜請求項２記載の発明＞
前記接着部が、ホットメルト接着剤塗布部、メカニカルファスナー、粘着剤塗布部、剥離性接着剤塗布部の何れかによるものである、請求項１記載の止着式紙おむつ。
【０００７】
（作用効果）
本発明にかかる接着部を具備することで、簡易に接着部を形成でき、また、装着中、折り形状を維持することができる。
【０００８】
＜請求項３記載の発明＞
前記背側延出部に、エンボスによって形成された二つの折り線が幅方向に沿って並設されている、請求項１又は２記載の止着式紙おむつ。
【０００９】
（作用効果）
Ｚ折りしやすくなるとともに、エンボス部分において液の浸透が阻害され、もって防漏性も向上する。
【００１０】
＜請求項４記載の発明＞
背側延出部に吸収体が存在している、請求項１〜３の何れか１項に記載の止着式紙おむつ。
【００１１】
（作用効果）
防漏壁に吸収機能があり、背漏れ防止性がいっそう高まる。
【００１２】
＜請求項５記載の発明＞
前記延出部が、両側止着部材の背側端縁を結ぶ線よりも２〜２０ｃｍ延出している、請求項１〜４の何れか１項に記載の止着式紙おむつ。
【００１３】
（作用効果）
十分に厚みと幅のある防漏壁を形成することができる。
【発明の効果】
【００１４】
本発明によれば、仰臥位の際における背側開口縁からの漏れが好適に防止された止着式紙おむつが提供される。
【発明を実施するための最良の形態】
【００１５】
次いで、本発明の実施の形態を図面を参照しながら以下に詳述する。
『第１の実施の形態』
第１の実施の紙おむつＺ１を図１〜２に示す。本形態の紙おむつＺ１は、透液性表面シート１１と不透液性裏面シート１２との間に吸収体１３が介在された層構造をなしており、背側腰部両脇に設けられた係止部材１６，１６を腹側腹部の係止部１７に係止することにより着衣態様となるいわゆる止着式紙おむつの形態をなしている。
透液性表面シート１１及び不透液裏面シート１２は、紙おむつＺ１の平面外形とほぼ同形状であり、前後端部及び両側部が吸収体よりも外方に延出され、これら延出した部位において接合されている。接合の方法は、特に限定されない。既知の方法による。例えば、ホットメルト接着、超音波シール、ヒートシール（熱融着）、ヒートプレス（熱圧着）又はこれらの組み合わせによることができる。
【００１６】
透液性表面シート１１は、ナイロン、ポリエチレンテレフタレート等の糸を平織り等したネット状のシート素材、多数の透孔を形成したフィルムシート材、ポリエチレンやポリプロピレン等のフィルムシート材、透液性を有する織布、不織布が適し、特に不織布が適する。不織布としては、ポリエチレンまたはポリプロピレン等のオレフィン系、ポリエステル系、ポリアミド系等の合成繊維、レーヨンやキュプラ等の再生繊維、綿等の天然繊維を繊維素材として、スパンレース法、スパンボンド法、サーマルボンド法、メルトブローン法、ニードルパンチ法等の適宜の加工法によって加工したものを用い得る。
なお、スパンレース法は柔軟性、ドレープ性に富む点で優れ、サーマルボンド法は嵩高でソフトである点で優れている。
また、ＳＭＳ不織布、ポイントボンド不織布あるいは、ポリエチレンフィルム等のプラスチックフィルムや、プラスチックフィルムと不織布とをラミネートしたラミネート不織布など層構造の不織布を用いることもできる。
【００１７】
不透液性裏面シート１２は、ポリエチレンやポリプロピレン等のオレフィン系樹脂中に無機充填剤を混練してシートを成形した後、一軸または二軸方向に延伸することにより得られる微多孔性の樹脂シートが好適に用いられる。不透液性バックシート２は、肌触り性向上のために前記樹脂性シートの外面に不織布等からなる外装シートを積層したものが好適に用いられる。
【００１８】
吸収体１３は、積繊パルプ、不織布などの繊維内に吸収性ポリマーが散在されている吸収コアをクレープ紙、不織布シート、孔開きシート等の透液性シートによって包皮した既知の構成とすることができる。
高吸収性ポリマーとしては、カルボキシメチルセルロース、ポリアクリル酸およびその塩類、アクリル酸塩重合体架橋物、澱粉−アクリル酸グラフト共重合体、澱粉−アクリロニトリルグラフト共重合体の加水分解物、ポリオキシエチレン架橋物、カルボキシメチルセルロース架橋物、ポリエチレンオキサイド、ポリアクリルアミド等の水膨欄性ポリマーを部分架橋したもの、あるいはイソブチレンとマレイン酸との共重合体等が好適に用いられる。製品の吸湿によるブロッキング性を抑制するためにブロッキング防止剤が添加されたものも用いることができる。また高吸収性ポリマーとしては、粉体状、粒子状、顆粒状、ペレット状、ゾル状、サスペンジョン状、ゲル状、フィルム状、不織布状等のさまざまな形態をもったものがあるが、これらはいずれも本発明において使用可能であり、特に粒子状のものが好適に使用される。
【００１９】
係止部材１６，１６は、メカニカルファスナーの雄材が一部に配された既知のものであり、上述のとおり、この雄材部分を、腹側に配した雌材で構成した係止部１７に係止させて着衣形態となる。
【００２０】
他方、本形態の紙おむつＺ１の肌当接面側には、長手方向（前後方向）に沿って設けられた持ち上げ用弾性伸縮部材２３，２３等により前記肌側に長手方向に沿って起立される、いわゆる起立カフス（バリアカフスとも呼ばれる）１４，１４が設けられている。起立カフスカフス１４，１４の具体的な構成は特に限定されない。図示例以外にも従来既知の起立カフス１４，１４の構成を適宜採ることができる。
【００２１】
ここで、本形態の紙おむつＺ１は，特徴的に前記止着部材１６，１６の背側縁間１６ｅ，１６ｅを結ぶ線１６Ｌを越えて延出する背側延出部５０を有する。
この背側延出部５０は、前記透液性表面シート１１、不透液性裏面シート１２がそれぞれ延在されて形成されており、吸収体１３は延在、もしくは折り線を跨がないように複数に分かれて形成されており、従って本形態の背側延出部５０には吸収体１３が位置している。
他方、この背側延出部５０には、幅方向に沿って二つの折り線５１，５２が離間して並設されており、この折り線の一方５１を谷折り、他方５２を山折りとすることにより、特に図２に示すように、いわゆるＺ折りが可能となっている。Ｚ折りすることにより背側縁に防漏壁５０ｗが形成される。
なお、本形態では、両側止着部材１６，１６の背側縁１６ｅ，１６ｅ間を結ぶ線１６Ｌに近い位置の折り線が谷折り線５１（これを第１折り線とも言う）であり、遠い位置の折り線が山折り線５２（これを第２折り線とも言う）であり、従って、防漏壁５０ｗが肌当接面側に厚くなるようにして形成される。
ここで、背側延出部５０の延出長は、止着式紙おむつの大きさに応じて適宜変更しうるものであるが、好適には２〜２０ｃｍである。２ｃｍ未満であると防漏壁の形成が困難となるとともに壁が局所的に形成され装着者に不快感を与えるものとなり、２０ｃｍを超えると冗長であり取り扱い性が悪化する。
【００２２】
また、前記折り線５１，５２は、本形態では、エンボスラインで形成されている。エンボスラインの形成方法は既知の方法により形成することができる。なお、この折り線は、例えば、ミシン目線、折筋、線状に低坪部分を設けて形成した低坪量線、紙力低下剤を線状に塗布して形成した線などでもよく、また、視認性を良くするために折り線又は折り線に沿って表裏面シートを着色してもよい。
さらに、二本の折り線５１，５２の位置としては、両側止着部材１６，１６の背側縁間を結ぶ線１６Ｌとこれに近い第１折り線５１との間の距離は０〜１０ｃｍ程度であるのが望ましく、この第１折り線５１と延出部５０の背側端縁５０ｅとのほぼ中間に第２の折り線５２が位置するようにするのが望ましい。
【００２３】
他方、上述のとおりＺ折りしたときに対面する面の少なくとも一方面には、当該対面部位同士を着脱自在に接着するための接着部６０，６０が設けられている。
本形態では、第２折り線５２と背側端縁５１ｅとの間の区画の肌非当接面側と、第１折り線５１よりも股間部側の肌当接面であって、第１折り線５１と第２折り線５２との間の区画と対面する位置に設けられている。なお、接着部６０の位置には、この形態の位置にかかわらず対面部位の一方面であれば特に限定されることはない。
また、本形態では接着部６０は幅方向に略均等に三箇所に分散して設けられている。
【００２４】
この接着部は、各対面部位を接着しうるものであれば特に限定されるものではないが、好適には、着脱自在に接着しうる形態で形成されるものである。
具体例としては、前記接着部６０は、ホットメルト接着剤塗布部、メカニカルファスナー、粘着剤塗布部、剥離性接着剤塗布部の何れかによって形成するのがよい。
ホットメルト接着剤塗布部とするのであれば、ホットメルトガンなどで溶融塗布して形成できる。例えば、この種の吸収性物品に利用される既知のものが利用できる。具体的には、ベースポリマー、接着性付与成分、可塑剤成分及び酸化防止剤を構成成分として含むものが用いられる。弾粘性を有するものが特に好適である。
メカニカルファスナーにより接着部を設けるのであれば、被接着面が不織布面であれば雄材のみを設ける構成としてもよいし、対面する部位の一方に雄材、他方に雌材を配置するようにしてもよい。
粘着剤を塗布して接着部を設けるのであれば、例えば、生理用ナプキンを下着類に接着するのに用いられている既知に粘着剤と同様のものを用いることができる。例えば、天然ゴム、合成ゴム、アクリルエマルジョンなどを主成分とするものが挙げられる。
また、これらの合成ゴム、天然ゴム、アクリルエマルジョンなどに微粒子充填材を混合せしめて接着力を適宜調整した剥離性接着剤を用いることができる。
なお、接着部が粘着性を有するものとするのであれば、非使用時には剥離紙などで被覆した状態としておくこともできる。剥離紙などはシリコン処理面を有する既知のものを接着部との関係で既知のもののなかから適宜選択して用いればよい。
【００２５】
以上説明の本形態の止着式紙おむつは、図２に示されるようにＺ折りして背側縁の防漏壁５０ｗが形成されるので、仰向け時における背側開口縁からの尿、便の漏れが確実に防止される。
【００２６】
『第２の実施の形態』
第２の実施の形態にかかる紙おむつＺ２を図３に示す。この第２の実施形態は、接着部の配設形態が第１の実施の形態と相違する。すなわち、第１の実施の形態では、接着部６０は幅方向に略均等に三箇所に分散して設けられているが、本形態の紙おむつＺ２では、第２折り線５２と背側端縁５１ｅとの間の区画の肌非当接面側と、第１折り線５１よりも股間部側の肌当接面であって、第１折り線５１と第２折り線５２との間の区画と対面する部位に、幅方向の略全部に渡って連続する接着部６０が設けられている。なお、本形態においても接着部６０の位置には、この形態の位置にかかわらず対面部位の一方面であれば特に限定されることはない。
また、この接着部の構成やその他の形態は第１の実施の形態と同様である。
【００２７】
『その他の実施の形態』
第１の実施の形態では、肌当接面側に折り重ねるようにＺ折りする形態であるが、図４に示す第３の実施の形態に係る紙おむつＺ３は、肌非当接面側すなわち不透液性裏面シート側に折り重ねてＺ折りされる形態である。本形態は、かかる構成を採るにあたって第１の実施の形態と接着部を設ける面が相違している。
すなわち、この第３の形態では、第２折り線５２と背側端縁５１ｅとの間の区画の肌当接面側と、第１折り線５１よりも股間部側の肌非当接面であって、第１折り線５１と第２折り線５２との間の区画と対面する位置に設けられている。その他の構成については第１の実施の形態と同様である。
なお、図示はしないが、他の形態として、例えば、第１折り線５１と第２折り線５２とで囲まれる区画の肌当接面及び肌非当接面の両面に接着部６０を設ければ、肌当接面側、肌非当接面側のいずれにも防漏壁を作り得る形態となり、使用者が何れかを選択しうることが可能となる。
【図面の簡単な説明】
【００２８】
【図１】本形態の止着式紙おむつの平面図である。
【図２】Ｚ折りしたときの延出部の断面図である。
【図３】第２の形態の止着式紙おむつの平面図である。
【図４】第３の形態の止着式紙おむつの延出分をＺ折りしたときの一部断面図である。
【符号の説明】
【００２９】
１１…透液性表面シート、１２…不透液性裏面シート、１３…吸収体、１４…起立カフス、１６…止着部材、１６ｅ…止着部材の背側縁、１６Ｌ…止着部材の背側縁間を結ぶ線、１７…係止部（雌材）、２３…弾性伸縮部材（糸ゴム）、５０…背側延出部、５０ｗ…防漏壁、５０ｅ…背側延出部の背側縁、５１，５２…折り線、６０…接着部、Ｚ１〜Ｚ３…紙おむつ。
【図１】
2008079738.tif 000003
【図２】
2008079738.tif 000004
【図３】
2008079738.tif 000005
【図４】
2008079738.tif 000006